(57)【要約】【課題】任意の特定運転時点の流動媒体を採取することのできる流動媒体サンプリング装置を提供する。【解決手段】サンプリング装置１０は、先端に切り欠き部１１Ａを有する採取管１１が流動層燃焼装置１の燃焼炉壁１Ａを貫通して基端は外部に開放して配設されると共に、その開放端が閉止板１４で開閉可能に閉止され、採取管１１の内部に収集板１２が配設されて構成されている。収集板１２には閉止板１４を気密的に貫通して外部に突出する操作ロッド１３が連結固定されており、外部からこの操作ロッド１３を押し引き操作することで採集板１２を採取管１１内で移動させることができるようになっている。【選択図】              図１
2004347277.tif 000002
【特許請求の範囲】
【請求項１】
所定長さの筒状で先端上部に切り欠き部を有し容器壁を貫通して設けられた採取管部材と、
前記採取管部材の外端を開閉可能に閉塞する閉止部材と、
前記採取管部材に摺動移動可能に挿置された収集部材と、
前記収集部材に連結され前記閉塞部材を気密的に貫通して外部に突出する操作部材と、を備えて構成されていることを特徴とする流動媒体サンプリング装置。
【発明の詳細な説明】
【０００１】
【発明の属する技術分野】
本発明は、流動層燃焼装置等において、燃焼状態を分析するために内容物を抜き取るサンプリング装置に関する。
【０００２】
【従来の技術】
流動媒体を上昇気流によって流動化させた流動層に燃料を投入して燃焼させる流動層燃焼装置は、粒径の大きな燃料でも浮遊させて燃焼できると共に流動媒体として石灰石等の脱硫剤を用いることで炉内同時脱硫により排煙脱硫を必要としないといった優れた特徴を有しており、近時、このような流動層燃焼装置を用いたボイラに都市ゴミを粉砕してカルシウム等を加えて乾燥固化させて柱状チップ状としたゴミ生成燃料（ＲＤＦ）を燃料として用いてエネルギーの有効利用を図る目的への利用が提案されている。（特許文献１参照）
ところで、このようなＲＤＦ燃料に限るものではないが、流動層燃焼装置において適正な運転状態を得るために、燃焼途中の燃料を含む流動媒体を取り出して燃焼状態を分析したいという要求がある。
【０００３】
尚、搬送途中の粉体をサンプリングするものとしては、特許文献２に開示のごときものがある。
【０００４】
【特許文献１】
特開平９−２１０３３１号公報
【特許文献２】
特開平７−９８２３７号公報
【０００５】
【発明が解決しようとする課題】
しかしながら、燃焼作動中の高温・高圧の流動層燃焼装置内にサンプリング管を挿入して内容物を取り出すことは極めて困難なものである。このため、運転停止後に装置内の任意の位置から流動媒体を採取して分析することが行われているが、これでは特定の運転時点での試料を得ることができないため、その分析データから運転データと燃焼状態の相関関係を解析することはできなかった。
【０００６】
本発明は、上記問題に鑑みてなされたものであって、任意の特定運転時点の流動媒体を採取することのできる流動媒体サンプリング装置を提供することを目的とする。
【０００７】
【課題を解決する為の手段】
上記目的を達成する本発明の流動媒体サンプリング装置は、所定長さの筒状で先端上部に切り欠き部を有し燃焼炉壁を貫通して設けられた採取管部材と、前記採取管部材の外端を開閉可能に閉塞する閉止部材と、前記採取管部材に摺動移動可能に挿置された収集部材と、前記収集部材に連結され前記閉塞部材を気密的に貫通して外部に突出する操作部材と、を備えて構成されていることを特徴とする。
【０００８】
これにより、外部から操作部材によって収集部材を採取管部材内で移動操作し、任意の運転時点で収集部材を採取管部材の先端まで移動させてその内部を空とし、その状態で切り欠き部を介して採取管部材内に侵入堆積する流動媒体を収集部材で取り込み、閉止部材を開放して採取できる。
【０００９】
【発明の実施の形態】
以下、添付図面を参照して本発明の実施の形態について説明する。
図１は本発明に係る流動媒体サンプリング装置の一構成例を示し、（Ａ）は断面図，（Ｂ）はその側面図である。
【００１０】
図示サンプリング装置１０は、採取管部材としての採取管１１が流動層燃焼装置１の容器壁としての燃焼炉壁１Ａを貫通して配設されると共に、採取管１１の内部に収集部材としての収集板１２が配設されて構成されている。
【００１１】
採取管１１は、所定長さの円筒状で、燃焼炉壁１Ａの外面に固定された固定環１Ｂを介して燃焼炉壁１Ａに当該燃焼炉壁１Ａと直交するように貫通して設けられている。その先端には、上半分が所定長さで切り欠かれて成る切り欠き部１１Ａが形成されている。
【００１２】
採取管１１の基端は外部に開放しており、この開放端は固定環１Ｂの外面に複数のボルト１５によって固定された閉止部材としての閉止板１４で閉止されている。
【００１３】
収集板１２は、採取管１１の内周に摺動可能に嵌合する所定厚さの円盤状で、その外側となる面の中央に操作部材としての操作ロッド１３が連結固定されている。
【００１４】
操作ロッド１３は閉止板１４を貫通して外部に突出しており、外部からこの操作ロッド１３を押し引き操作することで採集板１２を採取管１１内で移動させることができるようになっている。その長さは、採取管１１内で採集板１２を先端から基端まで移動させることができるように設定され、また、操作ロッド１３の先端には没入防止大径部１３Ｂが形成されている。
【００１５】
閉止板１４の操作ロッド１３が貫通する部位には、操作ロッド１３の外周面に密着するシール１４Ａがキャップ１４Ｂによって設けられており、このシール１４Ａによって燃焼炉内外の気密を保ちつつ操作ロッド１３の摺動が可能となっている。
【００１６】
上記のごとく構成されたサンプリング装置１０は、燃焼炉外部から操作ロッド１３を操作することで燃焼炉内外の気密を保って採取管１１内で採集板１２を先端から基端まで移動させることができ、また、ボルト１５による締結を解除して閉止板１４を取り外すことで採取管１１を外側に開放することができる。
【００１７】
次に、このサンプリング装置１０を用いたサンプリング工程を、図２に基づいて説明する。
【００１８】
まず、（Ａ）に示すように採集板１２が採取管１１内の切り欠き部１１Ａより基端側に位置する状態として運転を開始し、採取を希望する時点で、操作ロッド１３を押し込んで（Ｂ）に示すように収集板１２を切り欠き部１１Ａの先端側に位置させる。これにより、収集板１２より先端側の採取管１１内に溜まっていた流動媒体２′は採取管１１外に押し出され、切り欠き部１１Ａを介して採取管１１内にその時点における流動媒体が流入する。所定時間経過して採取管１１内に流動媒体２（これがサンプルとなる）が溜まった後、（Ｃ）に示すように収集板１２を引き出して流動媒体２を採取管１１の切り欠き部１１Ａより基端側に移動させる。これで、流動媒体２が採取管１１内に隔絶された状態に採取される。
【００１９】
その後、（Ｄ）に示すように閉止板１４を取り外し、採取管１１内の流動媒体２を取り出す。この流動媒体２を取り出す工程は、採集板１２と採取管１１の気密状態が良好で内外の気圧差が小さければ運転中に行っても良いが、運転停止後に行う方が好ましい。
【００２０】
これにより、任意の運転時点における流動媒体２を採取することができ、このようなサンプリング装置１０を、流動層燃焼装置１の燃焼炉内の採取を望む位置に配設することで、任意の運転時点における流動媒体を採取することができるものである。採取管１１の先端位置を適宜設定すれば、燃焼炉内の任意の位置で流動媒体を採取することができる。
尚、本発明は上記構成例に限るものではなく、適宜変更可能なものである。
【００２１】
【発明の効果】
以上述べたように、本発明に係る流動媒体サンプリング装置によれば、所定長さの筒状で先端上部に切り欠き部を有し燃焼炉壁を貫通して設けられた採取管部材と、採取管部材の外端を開閉可能に閉塞する閉止部材と、採取管部材に摺動移動可能に挿置された収集部材と、収集部材に連結され閉塞部材を気密的に貫通して外部に突出する操作部材と、を備えて構成されていることで、外部から操作部材によって収集部材を採取管部材内で移動操作し、任意の運転時点で収集部材を採取管部材の先端まで移動させてその内部を空とした後、その状態で切り欠き部を介して採取管部材内に侵入堆積する流動媒体を収集部材で採取管部材内に取り込み、閉止部材を開放して採取できる。これにより、任意の特定運転時点の流動媒体を採取することができるものである。
【図面の簡単な説明】
【図１】本発明に係る流動媒体サンプリング装置の一構成例を示し、（Ａ）は断面図，（Ｂ）はその側面図である。
【図２】サンプリング装置による採取工程の説明図である。
【符号の説明】
１  流動層燃焼装置
１Ａ  燃焼炉壁（容器壁）
１０  サンプリング装置
１１  採取管（採取管部材）
１１Ａ  切り欠き部
１２  収集板（収集部材）
１３  操作ロッド（操作部材）
１４  閉止板（閉止部材）
【図１】
2004347277.tif 000003
【図２】
2004347277.tif 000004